【手続補正書】
【提出日】平成29年12月19日(2017.12.19)
【手続補正１】
【補正対象書類名】明細書
【補正対象項目名】００６４
【補正方法】変更
【補正の内容】
【００６４】
（Ａは酸素原子または硫黄原子を表わす。ｍは１〜１０の整数であり、同一の基中にｍが二つある場合、この二つのｍは同一または異なる値である。）
また、化合物（１）の好ましい例として、上述の式（１０）で表される化合物（以下、「化合物（１０）」と記すことがある）、上述の式（１１）で表される化合物（以下、「化合物（１１）」と記すことがある）、上述の式（１２）で表される化合物（以下、「化合物（１２）」と記すことがある）、上述の式（１３）で表される化合物（以下、「化合物（１３）」と記すことがある）が挙げられる。化合物（１０）は、化合物（１）におけるＲ１が、Ｒ４０、かつ、Ｒ５が、Ａｒ１の化合物である。化合物（１１）は、化合物（１）におけるＲ１が、Ｒ４１、かつ、Ｒ５が、ＮＨＲ５ａの化合物である。化合物（１２）は、化合物（１）におけるＲ１が、Ｒ４２、かつ、Ｒ５が、Ｎ（Ｒ５ｂ）２の化合物である。化合物（１３）は、化合物（１）におけるＲ５が、ＮＲ５ａＲ５ｂの化合物である。
【手続補正２】
【補正対象書類名】明細書
【補正対象項目名】０１０３
【補正方法】変更
【補正の内容】
【０１０３】
（式中、Ｒ１、Ｒ２〜Ｒ４、ｎ、ｐ、ｑは、上記と同一の意味を表す。）
で表される化合物（以下、「化合物（３ｂ）」と記すことがある）を得、さらに、例えば、化合物（３ｂ）のアミノ基を、置換基を有していてもよいアルキレンハロヒドリン（例えば、２−ヨードエタノール）と反応させて、化合物（３ｂ）のアミノ基に置換している一方の水素原子を、置換基を有していてもよいヒドロキシアルキル基とした後、ホルムアルデヒドと環化反応させてＡｒ１である含窒素飽和ヘテロ環基を形成する方法、化合物（３ｂ）を、アルキレンハロヒドリン（例えば、２−ヨードエタノール）と反応させて、化合物（３ｂ）のアミノ基に置換している一方の水素原子をアミノヒドロキシアルキル基とし、もう一方の水素原子を、Ｓａｎｄｍｅｙｅｒ反応によってアルキル化する方法、または化合物（３ｂ）を、アルキレンハロヒドリン（例えば、２−ヨードエタノール）と反応させて、化合物（３ｂ）のアミノ基に置換している水素原子を二つともアミノヒドロキシアルキル基とする方法などによって得ることができる。また、得られる化合物（１）の種類によっては、化合物（２ａ）と、ベンゼン環における一つの水素原子に化合物（１）におけるＲ５基が置換した化合物とを、直接的に反応させる方法によっても、化合物（１）を得ることができる。かかる方法は、例えば、Chem Bio Chem, 2011, 12, 1712、Journalof Chemical society, Perkin Trans. 1998, 685等に記載の方法に準じて行うことができる。
【手続補正３】
【補正対象書類名】明細書
【補正対象項目名】０３３６
【補正方法】変更
【補正の内容】
【０３３６】
〔実施例２〕
化合物（１−２）の代わりに化合物（１−１）を用いたこと以外は、実施例１と同様にして、本偏光膜を作製した。同様に極大吸収波長ならびに二色比を測定したところ、極大吸収波長（λｍａｘ１）は４８３ｎｍであり、二色比は５１と高い値を示した。また、製造例２に記載したとおり極大吸収波長（λｍａｘ２）は４３８ｎｍであるため、長波長シフトしていることが判明した。この結果は、本偏光膜中において、重合性液晶化合物が重合してなる密な分子鎖間に、化合物（１−１）が分散しているとき、該化合物（１−１）がその分子鎖と強く相互作用していることを示すものである。
【手続補正４】
【補正対象書類名】明細書
【補正対象項目名】０３３７
【補正方法】変更
【補正の内容】
【０３３７】
〔実施例３〕
化合物（１−２）の代わりに化合物（１−６１）を用いたこと以外は、実施例１と同様にして、本偏光膜を作製した。同様に極大吸収波長ならびに二色比を測定したところ、極大吸収波長（λｍａｘ１）は５０２ｎｍであり、二色比は３９と高い値を示した。また、製造例３に記載したとおり極大吸収波長（λｍａｘ２）は４６０ｎｍであるため、長波長シフトしていることが判明した。この結果は、本偏光膜中において、重合性液晶化合物が重合してなる密な分子鎖間に、化合物（１−６１）が分散しているとき、該化合物（１−６１）がその分子鎖と強く相互作用していることを示すものである。
【手続補正５】
【補正対象書類名】明細書
【補正対象項目名】０３３８
【補正方法】変更
【補正の内容】
【０３３８】
〔実施例４〕
化合物（１−２）の代わりに化合物（１−４６）を用いたこと以外は、実施例１と同様にして、本偏光膜を作製した。同様に極大吸収波長ならびに二色比を測定したところ、極大吸収波長（λｍａｘ１）は５３８ｎｍであり、二色比は３６と高い値を示した。また、製造例４に記載したとおり極大吸収波長（λｍａｘ２）は４８０ｎｍであるため、長波長シフトしていることが判明した。この結果は、本偏光膜中において、重合性液晶化合物が重合してなる密な分子鎖間に、化合物（１−４６）が分散しているとき、該化合物（１−４６）がその分子鎖と強く相互作用していることを示すものである。
【手続補正６】
【補正対象書類名】明細書
【補正対象項目名】０３３９
【補正方法】変更
【補正の内容】
【０３３９】
〔実施例５〕
化合物（１−２）の代わりに化合物（１−３１）を用いたこと以外は、実施例１と同様にして、本偏光膜を作製した。同様に極大吸収波長ならびに二色比を測定したところ、極大吸収波長（λｍａｘ１）は５２８ｎｍであり、二色比は３２と高い値を示した。また、製造例５に記載したとおり極大吸収波長（λｍａｘ２）は４７２ｎｍであるため、長波長シフトしていることが判明した。この結果は、本偏光膜中において、重合性液晶化合物が重合してなる密な分子鎖間に、化合物（１−３１）が分散しているとき、該化合物（１−３１）がその分子鎖と強く相互作用していることを示すものである。
【手続補正７】
【補正対象書類名】明細書
【補正対象項目名】０３４０
【補正方法】変更
【補正の内容】
【０３４０】
〔実施例６〕
化合物（１−２）の代わりに化合物（１−２３）を用いたこと以外は、実施例１と同様にして、本偏光膜を作製した。同様に極大吸収波長ならびに二色比を測定したところ、極大吸収波長（λｍａｘ１）は５１１ｎｍであり、二色比は５７と高い値を示した。また、製造例６に記載したとおり極大吸収波長（λｍａｘ２）は４７２ｎｍであるため、長波長シフトしていることが判明した。この結果は、本偏光膜中において、重合性液晶化合物が重合してなる密な分子鎖間に、化合物（１−２３）が分散しているとき、該化合物（１−２３）がその分子鎖と強く相互作用していることを示すものである。
【手続補正８】
【補正対象書類名】明細書
【補正対象項目名】０３４１
【補正方法】変更
【補正の内容】
【０３４１】
〔実施例７〕
化合物（１−２）の代わりに化合物（１−５）を用いたこと以外は、実施例１と同様にして、本偏光膜を作製した。同様に極大吸収波長ならびに二色比を測定したところ、極大吸収波長（λｍａｘ１）は４７８ｎｍであり、二色比は４８と高い値を示した。また、製造例７に記載したとおり極大吸収波長（λｍａｘ２）は４３２ｎｍであるため、長波長シフトしていることが判明した。この結果は、本偏光膜中において、重合性液晶化合物が重合してなる密な分子鎖間に、化合物（１−５）が分散しているとき、該化合物（１−５）がその分子鎖と強く相互作用していることを示すものである。
【手続補正９】
【補正対象書類名】明細書
【補正対象項目名】０３４２
【補正方法】変更
【補正の内容】
【０３４２】
〔実施例８〕
化合物（１−２）の代わりに化合物（１−６２）を用いたこと以外は、実施例１と同様にして、本偏光膜を作製した。同様に極大吸収波長ならびに二色比を測定したところ、極大吸収波長（λｍａｘ１）は５０５ｎｍであり、二色比は３５と高い値を示した。また、製造例８に記載したとおり極大吸収波長（λｍａｘ２）は４６０ｎｍであるため、長波長シフトしていることが判明した。この結果は、本偏光膜中において、重合性液晶化合物が重合してなる密な分子鎖間に、化合物（１−６２）が分散しているとき、該化合物（１−６２）がその分子鎖と強く相互作用していることを示すものである。
【手続補正１０】
【補正対象書類名】明細書
【補正対象項目名】０３４３
【補正方法】変更
【補正の内容】
【０３４３】
〔実施例９〕
化合物（１−２）の代わりに化合物（１−６３）を用いたこと以外は、実施例１と同様にして、本偏光膜を作製した。同様に極大吸収波長ならびに二色比を測定したところ、極大吸収波長（λｍａｘ１）は５１２ｎｍであり、二色比は４１と高い値を示した。また、製造例９に記載したとおり極大吸収波長（λｍａｘ２）は４５２ｎｍであるため、長波長シフトしていることが判明した。この結果は、本偏光膜中において、重合性液晶化合物が重合してなる密な分子鎖間に、化合物（１−６３）が分散しているとき、該化合物（１−６３）がその分子鎖と強く相互作用していることを示すものである。
【手続補正１１】
【補正対象書類名】明細書
【補正対象項目名】０３４４
【補正方法】変更
【補正の内容】
【０３４４】
〔実施例１０〕
化合物（１−２）の代わりに化合物（１−２０）を用いたこと以外は、実施例１と同様にして、本偏光膜を作製した。同様に極大吸収波長ならびに二色比を測定したところ、極大吸収波長（λｍａｘ１）は５０６ｎｍであり、二色比は５７と高い値を示した。また、製造例１０に記載したとおり極大吸収波長（λｍａｘ２）は４５２ｎｍであるため、長波長シフトしていることが判明した。この結果は、本偏光膜中において、重合性液晶化合物が重合してなる密な分子鎖間に、化合物（１−２０）が分散しているとき、該化合物（１−２０）がその分子鎖と強く相互作用していることを示すものである。
【手続補正１２】
【補正対象書類名】明細書
【補正対象項目名】０３４５
【補正方法】変更
【補正の内容】
【０３４５】
〔実施例１１〕
化合物（１−２）の代わりに化合物（１−１７）を用いたこと以外は、実施例１と同様にして、本偏光膜を作製した。同様に極大吸収波長ならびに二色比を測定したところ、極大吸収波長（λｍａｘ１）は４９３ｎｍであり、二色比は４３と高い値を示した。また、製造例１１に記載したとおり極大吸収波長（λｍａｘ２）は４４０ｎｍであるため、長波長シフトしていることが判明した。この結果は、本偏光膜中において、重合性液晶化合物が重合してなる密な分子鎖間に、化合物（１−１７）が分散しているとき、該化合物（１−１７）がその分子鎖と強く相互作用していることを示すものである。
【手続補正１３】
【補正対象書類名】明細書
【補正対象項目名】０３４６
【補正方法】変更
【補正の内容】
【０３４６】
〔実施例１２〕
化合物（１−２）の代わりに化合物（１−６４）を用いたこと以外は、実施例１と同様にして、本偏光膜を作製した。同様に極大吸収波長ならびに二色比を測定したところ、極大吸収波長（λｍａｘ１）は５０４ｎｍであり、二色比は４８と高い値を示した。また、製造例１２に記載したとおり極大吸収波長（λｍａｘ２）は４６８ｎｍであるため、長波長シフトしていることが判明した。この結果は、本偏光膜中において、重合性液晶化合物が重合してなる密な分子鎖間に、化合物（１−６４）が分散しているとき、該化合物（１−６４）がその分子鎖と強く相互作用していることを示すものである。